(57)【要約】【課題】携帯情報端末におけるショートカット処理のための操作をより簡便にする。【解決手段】携帯情報端末（100）は、押下操作およびその解放操作に相互に異なる処理が関連付けられた第１の操作デバイス（21）と、表示デバイスの画面における入力位置を選択するための第２の操作デバイス（22）と、第１の操作デバイスの押下操作を認識したとき特定のアプリケーションプログラムに関連付けられた項目を表示デバイスへ表示する手段（40）と、表示デバイスに表示された項目が入力位置として選択され且つ前記第１の操作デバイスの解放操作を認識したとき当該アプリケーションプログラムを起動する手段（40）とを備える。【選択図】図１
2007235560.tif 000002
【特許請求の範囲】
【請求項１】
押下操作およびその解放操作に相互に異なる処理が関連付けられた第１の操作デバイスと、
表示デバイスの画面における入力位置を選択するための第２の操作デバイスと、
前記第１の操作デバイスの押下操作を認識したとき特定のアプリケーションプログラムに関連付けられた項目を表示デバイスへ表示する手段と、
表示デバイスに表示された項目が入力位置として選択され且つ前記第１の操作デバイスの解放操作を認識したとき当該アプリケーションプログラムを起動する手段とを備えることを特徴とする携帯情報端末。
【請求項２】
前記特定のアプリケーションプログラムごとに前記第１の操作デバイスの解放操作による起動の回数を記録し、起動の回数がより多いアプリケーションプログラムの項目をより高い優先順位にて表示デバイスへ表示することを特徴とする請求項１記載の携帯情報端末。
【請求項３】
前記第１の操作デバイスおよび第２の操作デバイスが相互に異なる筐体面に設けられていることを特徴とする請求項１又は２記載の携帯情報端末。
【請求項４】
押下操作およびその解放操作に相互に異なる処理が関連付けられた第１の操作デバイスと、表示デバイスの画面における入力位置を選択するための第２の操作デバイスとを備える携帯情報端末に、
前記第１の操作デバイスの押下操作を認識したとき特定のアプリケーションプログラムに関連付けられた項目を表示デバイスへ表示するステップと、
表示デバイスに表示された項目が入力位置として選択され且つ前記第１の操作デバイスの解放操作を認識したとき当該アプリケーションプログラムを起動するステップとを実行させることを特徴とするプログラム。
【請求項５】
前記携帯情報端末に、さらに、
前記特定のアプリケーションプログラムごとに前記第１の操作デバイスの解放操作による起動の回数を記録し、より多い回数のアプリケーションプログラムの項目をより高い優先順位にて表示デバイスへ表示するステップを実行させることを特徴とする請求項４記載のプログラム。
【請求項６】
押下操作およびその解放操作に相互に異なる処理が関連付けられた第１の操作デバイスと、表示デバイスの画面における入力位置を選択するための第２の操作デバイスとを備える携帯情報端末が、
前記第１の操作デバイスの押下操作を認識したとき特定のアプリケーションプログラムに関連付けられた項目を表示デバイスへ表示し、
表示デバイスに表示された項目が入力位置として選択され且つ前記第１の操作デバイスの解放操作を認識したとき当該アプリケーションプログラムを起動することを特徴とする端末制御方法。
【請求項７】
前記携帯情報端末が、さらに、
前記特定のアプリケーションプログラムごとに前記第１の操作デバイスの解放操作による起動の回数を記録し、起動の回数が多いアプリケーションプログラムの項目をより高い優先順位にて表示デバイスへ表示することを特徴とする請求項６記載の端末制御方法。
【発明の詳細な説明】
【技術分野】
【０００１】
本発明は、携帯電話機のような携帯情報端末に関し、特に、携帯情報端末の操作に関する。
【背景技術】
【０００２】
従来、携帯情報端末には、メール通信機能及び電卓機能等、ユーザの利便性を高めるための種々のアプリケーションプログラムが設けられている。携帯情報端末において所望のアプリケーションを起動するには、少なくとも、ボタン押下によりメニュー画面を表示させた後、メニュー中の目的のアイコンに方向ボタン等でカーソルを移動させ、さらに、そのアイコンをボタン押下で選択し起動するという一連の操作が必要とされる。
【０００３】
しかしながら、このような操作は、頻繁に使用するアプリケーションの場合、ユーザにとって非常に煩わしいものとなる。また、アプリケーションが豊富になるほど、メニューが細分化されることから、特に、利用頻度が低くアイコンの場所が既知でないアプリケーションは、メニューから見付け難いという不都合もある。
【０００４】
そこで、このような不都合を緩和するための技術が、例えば、後述の特許文献１に記載されている。特許文献１には、当初操作するメニュー階層表示画面から、他のメニュー階層表示画面を経由することなく、求める表示体の操作を完結させる処理へと移行させるショートカット機能を備える移動体通信機器が提案されている。
【特許文献１】特開２００２−１９９０８１号公報
【発明の開示】
【発明が解決しようとする課題】
【０００５】
上記特許文献１に記載の手法によれば、ショートカット機能により画面展開を省略することができるが、この手法にあっても、ショートカットメニューの表示、メニューの選択およびその確定には、それぞれ独立したボタン操作が必要とされる。
【０００６】
本発明は、上記課題に鑑みてなされたものであり、携帯情報端末におけるショートカット処理のための操作をより簡便にする手法を提供することを目的とする。
【課題を解決するための手段】
【０００７】
本発明に係る携帯情報端末は、押下操作およびその解放操作に相互に異なる処理が関連付けられた第１の操作デバイスと、表示デバイスの画面における入力位置を選択するための第２の操作デバイスと、前記第１の操作デバイスの押下操作を認識したとき特定のアプリケーションプログラムに関連付けられた項目を表示デバイスへ表示する手段と、表示デバイスに表示された項目が入力位置として選択され且つ前記第１の操作デバイスの解放操作を認識したとき当該アプリケーションプログラムを起動する手段とを備える。
【０００８】
本発明に係るプログラムは、押下操作およびその解放操作に相互に異なる処理が関連付けられた第１の操作デバイスと、表示デバイスの画面における入力位置を選択するための第２の操作デバイスとを備える携帯情報端末に、前記第１の操作デバイスの押下操作を認識したとき特定のアプリケーションプログラムに関連付けられた項目を表示デバイスへ表示するステップと、表示デバイスに表示された項目が入力位置として選択され且つ前記第１の操作デバイスの解放操作を認識したとき当該アプリケーションプログラムを起動するステップとを実行させる。
【０００９】
本発明に係る端末制御方法は、押下操作およびその解放操作に相互に異なる処理が関連付けられた第１の操作デバイスと、表示デバイスの画面における入力位置を選択するための第２の操作デバイスとを備える携帯情報端末が、前記第１の操作デバイスの押下操作を認識したとき特定のアプリケーションプログラムに関連付けられた項目を表示デバイスへ表示し、表示デバイスに表示された項目が入力位置として選択され且つ前記第１の操作デバイスの解放操作を認識したとき当該アプリケーションプログラムを起動するという方法である。
【発明の効果】
【００１０】
本発明によれば、携帯情報端末が、第１の操作デバイスの押下中に選択されたアプリケーションプログラムを、その押下操作に対し必然的に発生する解放操作を以って起動させることから、起動のための操作を簡略化することができる。これにより、ユーザが所望のアプリケーションプログラムを速やかに利用することができる。
【発明を実施するための最良の形態】
【００１１】
図１に、本発明の実施形態のブロック図を示す。実施形態の携帯情報端末100は、LCDのような表示デバイス10と、後述のサイドボタン21及び方向ボタン22を含む入力デバイス20と、ROM、RAM及びEEPROM等を含む記憶デバイス30と、CPUである制御デバイス40とを備える。記憶デバイス30は、EEPROMに後述のショートカット登録テーブル31を保持する。
【００１２】
図２に、携帯情報端末100の外観を示す。本実施形態の携帯情報端末100は、ヒンジ接続により開閉可能に構成された折り畳み式の携帯電話機であり、図示の状態は、筐体が開けられた状態である。携帯情報端末100の筐体上部には表示デバイス10が設けられ、筐体下部には、主に、ユーザ操作のための入力デバイス20が設けられている。
【００１３】
図２に示すように、筐体下部の側面には、本発明の携帯情報端末における第１の操作デバイスに対応するサイドボタン21が設けられている。また、筐体下部の表面には、画面上のカーソル位置を指定する際に用いる方向ボタン22が設けられている。この方向ボタン22は、本発明の携帯情報端末における第２の操作デバイスに対応するものである。
【００１４】
また、携帯情報端末100の筐体下部の表面には、方向ボタン22のほか、アプリケーションをショートカット処理でなく通常の手順にて起動させる際に使用する決定ボタン23と、通話に用いる発呼ボタン24及び終話ボタン25と、テンキーボタン26とがある。
【００１５】
筐体側面のサイドボタン21は、押下操作および解放操作とが別個のイベント処理に関連付けられており、その関連付けについての情報および制御プログラムが、予め記憶デバイス30に格納されている。本実施形態では、ショートカットを有効とする処理をサイドボタン21の押下操作に関連付け、また、ショートカットにより特定のアプリケーションを起動させる処理を解放操作に関連付けている。
【００１６】
一方、方向ボタン22については、サイドボタン21の押下によりショートカットが有効となっている間の操作と、その操作の際に表示デバイス10へ表示すべき項目とがショートカット登録テーブル31にて規定される。
【００１７】
図３に、ショートカット登録テーブル31の一例を示す。ショートカット登録テーブル31は、ショートカットにて起動させようとするアプリケーションプログラムを表すアプリケーション31cと、ショートカットにて起動された回数である起動回数31bと、ショートカットが有効とされる間に表示デバイス10へ表示する優先順位を表す表示順位31aとから構成される。アプリケーション31cは、携帯情報端末100での所定の操作により、ユーザが任意に追加／削除することができる。
【００１８】
ショートカット登録テーブル31において、アプリケーション31cの表示順位31aには、より大きな値の起動回数31bに対し、より高い順位が与えられる。順位の設定は、制御デバイス40による後述の処理により行う。また、表示順位31aは、方向ボタン22の操作回数に関連付けられており、例えば、表示順位31a「1」は、サイドボタン21を押下した直後に方向ボタン22を規定の方向に１回操作することに対応する。
【００１９】
図４に示すフローチャートを参照して、携帯情報端末100の動作について説明する。以下の動作は、記憶デバイス30が保持するプログラムを制御デバイス40が実行することによる作用に対応する。なお、ここでは便宜上、ショートカットが有効である間の方向ボタン22の操作に「上」キー及び「下」キーを使用するが、使用するキーは適宜変更してよい。
【００２０】
携帯情報端末100は、サイドボタン21が押下されたことを認識すると（ステップA1）、押下されている間の方向ボタン22の操作情報を取得する（ステップA2）。この操作は、図２の携帯情報端末100において、例えば、右手の人差し指や中指等でサイドボタン21を押下しつつ親指で方向ボタン22を操作することを指す。
【００２１】
携帯情報端末100は、取得した操作情報が有効なものであるか否かを判定する。ここでは、前述したように、方向ボタン22の操作として「上」キー及び「下」キーの操作が有効であるとされている。よって、取得した操作情報が「左」キー及び「右」キーの場合、その操作を無効とし、次に入力される操作情報の処理へ移行する（ステップA3：No）。
【００２２】
一方、方向ボタン22の操作が有効である場合（ステップA3：Yes）、その操作に対応するアプリケーションがショートカット可能に登録済みであるか否かをショートカット登録テーブル31をもとに判定する（ステップA4）。
【００２３】
判定の結果、図３に示す表示順位31a「1」〜「7」のように、対象のアプリケーション31cがショートカット登録テーブル31に登録済みである場合、そのアプリケーションの項目を表示デバイス10へ表示する（ステップA5）。また、表示順位31a「8」〜「10」のようにアプリケーション31cが未登録の場合は、その操作を無効とし（ステップA4：No）、次に入力される操作情報の処理へ移行する。
【００２４】
上記処理に関し、一例を挙げると、サイドボタン21を押下つつ方向ボタン22が操作されたときに、それが初回の「下」キー操作である場合、ショートカット登録テーブル31における表示順位31a「1」のレコードを参照する。この場合、表示順位31a「1」のアプリケーション31cに「メール作成」が登録されていることから、アプリケーションが登録済みであるとし、「メール作成」なる項目を表示デバイス10へ表示する。
【００２５】
表示デバイス10にアプリケーションの項目を表示するにあたっては、その項目のみを画面に表示する、あるいは、表示順位31aに沿ってアプリケーション31cの項目を一覧表示し、方向ボタン22の操作に応じて項目にカーソルを合わせるように表示する。
【００２６】
続いて、方向ボタン22による新たな入力操作があった場合、携帯情報端末100は、その操作に関し上述と同様の処理を行う（ステップA6：Yes）。例えば、「メール作成」の項目が表示された後に、引き続き方向ボタン22で「下」キーが１回操作された場合、表示順位31a「1」に続く「2」の「画像ビューワ」なる項目が表示されることとなる。さらに続いて、方向ボタン22で「上」キーが１回操作されると、項目の表示が「画像ビューワ」から「メール作成」に戻る。このように、携帯情報端末100は、方向ボタン22が操作されるごとに、表示する項目を表示順位31aに沿って順次変更する。
【００２７】
一方、方向ボタン22の再入力がないまま（ステップA6：No）サイドボタン21の解放を認識したとき（ステップA7：Yes）、携帯情報端末100は、表示していた項目のアプリケーションプログラムを起動する（ステップA8）。これにより、方向ボタン22により選択されたアプリケーションがショートカットにより起動される。なお、ショートカットによる起動を中止する場合は、表示順位31a「0」に合わせるよう方向ボタン22を操作し、サイドボタン21を解放する。
【００２８】
携帯情報端末100は、起動したアプリケーションについて、ショートカット登録テーブル31の起動回数31bを１つ加算し（ステップA9）、加算後の起動回数31bをもとにアプリケーション31cを降順に並べ替える（ステップA10）。これにより、使用頻度が高いアプリケーションほど、サイドボタン21押下後の方向ボタン22の操作回数を少なくし、ひいては、速やかに起動できるよう設定することができる。
【００２９】
以上説明したように、携帯情報端末100は、サイドボタン21が押された状態で方向ボタン22が操作されるごとに、表示順位31aに沿ってアプリケーション31cの項目を表示する。そして、所望の項目が表示された時点で方向ボタン22を解放することにより、そのアプリケーションを直ちに起動することができる。
【００３０】
したがって、本実施形態によれば、携帯情報端末100における簡易なボタン操作により、アプリケーションプログラムをショートカット処理にて起動させることができる。これは特に、サイドボタン21の押下操作によりショートカットを有効にし、且つ、その押下操作に対し必然的に発生する解放操作をアプリケーションの起動に関連付けたことによる。
【００３１】
また、図２に示すように、ショートカット処理に使用するサイドボタン21及び方向ボタン22をそれぞれ別個の筐体面に配置したことにより、２つのボタン操作を片手で行うことが可能となり、操作性が高められる。なお、サイドボタン21及び方向ボタン22の配置は、図示のものに限らず、例えば、サイドボタン21と同様な機能を果たすボタンを、筐体下部の側面に替えて裏面に配置する構成であってもよい。
【図面の簡単な説明】
【００３２】
【図１】本発明に係る携帯情報端末の実施形態の構成を示すブロック図である。
【図２】実施形態の携帯情報端末の外観図である。
【図３】実施形態のショートカット登録テーブルの説明図である。
【図４】実施形態の携帯情報端末の動作手順を示すフローチャートである。
【符号の説明】
【００３３】
100  携帯情報端末
10  表示デバイス
20  入力デバイス
21：サイドボタン、22：方向ボタン、23：決定ボタン、24：発呼ボタン、25：終話ボタン、26：テンキーボタン
30  記憶デバイス
31  ショートカット登録テーブル
40  制御デバイス
【図１】
2007235560.tif 000003
【図２】
2007235560.tif 000004
【図３】
2007235560.tif 000005
【図４】
2007235560.tif 000006